(57)【要約】【課題】ＩＣタグを利用して利用者を案内するシステムを構築すること。利用者が携帯するものは利用者端末とし、ＩＣタグを案内の要所に配置することによって、ＩＣタグの増設や交換を比較的簡単に行うこと。【解決手段】  サーバシステム５０は、"第１キー"で暗号化した案内情報を、ＬＣＸ１０を介してＡ地点のアクセス端局７０ｃ−１に送信する。アクセス端局７０ｃ−１と利用者端末９０との近距離無線通信により、案内情報Ｄ１０が利用者端末９０に送信され、利用者端末９０は、"第１キー"で案内情報Ｄ１０を復号する。さらに、アクセス端局７０ｃ−１は、利用者端末９０から送信された復号確認情報Ｄ３２をもとに受信完了情報Ｄ３０を作成し、ＬＣＸ１０を介してサーバシステム５０に送信する。続いて、サーバシステム５０は、"第２キー"で暗号化した案内情報を、ＬＣＸ１０を介して案内経路データをもとに選択したＢ地点のアクセス端局７０ｃ−２に送信する。【選択図】図９
2005167863.tif 000002
【特許請求の範囲】
【請求項１】
ＩＣタグ通信機が内蔵された利用者端末との間で近距離無線通信を行うＩＣタグと、所定の通信回線を介してサーバシステムとの間で通信を行って前記ＩＣタグに記憶された情報の送信及び更新を制御する制御装置とを備えた複数のアクセス端局が所定位置に分散配置された非接触ＩＣタグシステムに用いられる案内方法であって、
前記サーバシステムが、前記複数のアクセス端局の中からアクセス端局を選択する端局選択工程と、
前記サーバシステムが、前記選択されたアクセス端局に案内情報を送信する情報送信工程と、
前記選択されたアクセス端局が、前記送信された案内情報を当該アクセス端局のＩＣタグに記憶させる情報設定工程と、
前記利用者端末が、前記選択されたアクセス端局のＩＣタグと近距離無線通信を行って当該ＩＣタグから前記案内情報を受信して出力する端末受信工程と、
を含むことを特徴とする案内方法。
【請求項２】
請求項１に記載の案内方法であって、
前記サーバシステムが、目的位置を設定する目的位置設定工程と、
この目的位置設定工程で設定された目的位置に基づいて前記サーバシステムが案内経路を算出する経路算出工程と、
を更に含み、
前記端局選択工程は、前記経路算出工程で算出された案内経路に基づいてアクセス端局を選択する工程である、
ことを特徴とする案内方法。
【請求項３】
請求項２に記載の案内方法であって、
前記利用者端末が、前記端末受信工程において前記案内情報を受信した場合に、当該案内情報を送信したアクセス端局のＩＣタグに受信完了情報を書き込む受信完了工程と、
前記受信完了工程において受信完了情報が書き込まれたアクセス端局が当該受信完了情報を前記サーバシステムに送信する受信完了通知工程と、
を更に含み、
前記サーバシステムが前記受信完了情報を受信した場合に、前記端局選択工程、前記情報送信工程、前記情報設定工程及び前記端末受信工程の一連の工程を新たに行い、新たに行う端局選択工程では、前記算出された案内経路に沿って新たなアクセス端局を選択することを特徴とする案内方法。
【請求項４】
請求項３に記載の案内方法であって、
前記利用者端末が、第１の暗号鍵を記憶する工程を更に含み、
前記情報送信工程は、案内情報を前記第１の暗号鍵で暗号化し、暗号化した案内情報及び第２の暗号鍵を前記選択されたアクセス端局に送信する工程であり、
前記情報設定工程は、前記情報送信工程で送信された案内情報及び第２の暗号鍵を当該アクセス端局のＩＣタグに記憶させる工程であり、
前記端末受信工程は、前記利用者端末が前記案内情報及び前記第２の暗号鍵を受信し、この受信した案内情報を前記第１の暗号鍵で復号して出力するとともに、受信した第２の暗号鍵を前記第１の暗号鍵に代えて記憶する工程であり、
前記第２の暗号鍵を第１の暗号鍵とし、新たな暗号鍵を第２の暗号鍵として、前記一連の工程を新たに行う、
ことを特徴とする案内方法。
【請求項５】
請求項４に記載の案内方法であって、
前記受信完了工程は、前記利用者端末が、前記端末受信工程において復号した案内情報に含まれる復号確認情報を前記受信完了情報として書き込む工程であり、
前記受信完了工程で送信された受信完了情報の正否を前記サーバシステムが判定し、正しいと判定された場合に前記一連の工程を新たに行うことを特徴とする案内方法。
【請求項６】
ＩＣタグ通信機が内蔵された利用者端末との間で近距離無線通信を行うＩＣタグと、所定の通信回線を介してサーバシステムとの間で通信を行って前記ＩＣタグに記憶された情報の送信及び更新を制御する制御装置とを備えた複数のアクセス端局が所定位置に分散配置された非接触ＩＣタグシステムであって、
前記サーバシステムが、前記複数のアクセス端局の中からアクセス端局を選択する端局選択手段と、
前記サーバシステムが、前記選択されたアクセス端局に案内情報を送信する情報送信手段と、
前記選択されたアクセス端局が、前記送信された案内情報を当該アクセス端局のＩＣタグに記憶させる情報設定手段と、
前記選択されたアクセス端局のＩＣタグが、前記利用者端末との間で近距離無線通信を行い、前記記憶された案内情報を前記利用者端末に送信する端末送信手段と、
を備えた非接触ＩＣタグシステム。
【請求項７】
請求項６に記載の非接触ＩＣタグシステムであって、
前記サーバシステムが、目的位置を設定する目的位置設定手段と、
前記サーバシステムが、前記設定された目的位置に基づいて案内経路を算出する経路算出手段と、
を更に備え、
前記端局選択手段は、前記算出された案内経路に基づいてアクセス端局を選択する手段である、
ことを特徴とする非接触ＩＣタグシステム。
【請求項８】
請求項７に記載の非接触ＩＣタグシステムであって、
前記端局選択手段、前記情報送信手段、前記情報設定手段及び前記端末送信手段を順番に機能させる一連の処理を繰り返し行わせる制御を行い、繰り返しのたびに、前記端局選択手段が、前記算出された案内経路に沿って新たなアクセス端局を選択していくことによって、前記利用者端末を案内することを特徴とする非接触ＩＣタグシステム。
【請求項９】
請求項６〜８の何れか一項に記載の非接触ＩＣタグシステムであって、
前記所定の通信回線の通信線路は漏洩同軸ケーブルであり、
前記制御装置は前記漏洩同軸ケーブルを介した無線通信で前記サーバシステムとの間の通信を行う装置である、
ことを特徴とする非接触ＩＣタグシステム。
【発明の詳細な説明】
【技術分野】
【０００１】
本発明は、ＩＣタグ通信機が内蔵された利用者端末との間で近距離無線通信を行うＩＣタグと、所定の通信回線を介してサーバシステムとの間で通信を行って前記ＩＣタグに記憶された情報の送信及び更新を制御する制御装置とを備えた複数のアクセス端局が所定位置に分散配置された非接触ＩＣタグシステムに用いられる案内方法等に関する。
【背景技術】
【０００２】
従来から、移動体に取り付けられたＩＣタグと、所定位置に設置されたリーダ（ＩＣタグ通信機）との間で無線通信を行う非接触式のデータキャリアを利用した、様々な技術が知られている。
【０００３】
例えば、物品の流通状況の管理を行うための物流管理システムとして、貨物毎にその内容情報を格納したＩＣタグを貼付し、ＩＣタグゲートシステムを通過した貨物に貼付されたＩＣタグから内容情報を読み取ることにより、貨物の所在管理等を行うシステムが知られている（特許文献１参照。）
【特許文献１】特開２００２−１５４６１８号公報
【発明の開示】
【発明が解決しようとする課題】
【０００４】
ところで、上記したように、従来のデータキャリアは、移動する物品にＩＣタグを貼付しておき、予め所定位置に設置されているリーダが、物品に貼付されたＩＣタグに記憶された情報を読み取るものが一般的であった。このＩＣタグは、バーコードに比べて記憶容量が大きく、廉価であることから、物流革命をもたらす可能性があるとして注目を集めているものである。
【０００５】
一方、近時の携帯情報端末（ＰＤＡ）等には、東日本旅客鉄道株式会社のＳｕｉｃａ（登録商標；Super Urban Intelligent Cardの略称）のＩＣタグと通信を行う通信機が内蔵されているものも知られており、ＩＣタグの利用技術は日々進展しつつあるのが現状である。
【０００６】
では、このＩＣタグを利用して、利用者を案内するシステムが構築できないだろうか。利用者が携帯するものはＩＣタグではなく利用者端末とし、ＩＣタグを案内の要所に配置することによって、ＩＣタグの増設や交換を比較的簡単に行うことのできるシステムは実現できないだろうか。本発明はこれらの課題に基づいてなされたものである。
【課題を解決するための手段】
【０００７】
以上の課題を解決するための第１の発明は、
ＩＣタグ通信機が内蔵された利用者端末との間で近距離無線通信を行うＩＣタグと、所定の通信回線を介してサーバシステムとの間で通信を行って前記ＩＣタグに記憶された情報の送信及び更新を制御する制御装置とを備えた複数のアクセス端局が所定位置に分散配置された非接触ＩＣタグシステムに用いられる案内方法であって、
前記サーバシステムが、前記複数のアクセス端局の中からアクセス端局を選択する端局選択工程（例えば、図８に示すステップａ３０）と、
前記サーバシステムが、前記選択されたアクセス端局に案内情報を送信する情報送信工程（例えば、図８に示すステップａ５０）と、
前記選択されたアクセス端局が、前記送信された案内情報を当該アクセス端局のＩＣタグに記憶させる情報設定工程（例えば、図８に示すステップｂ１０）と、
前記利用者端末が、前記選択されたアクセス端局のＩＣタグと近距離無線通信を行って当該ＩＣタグから前記案内情報を受信して出力する端末受信工程（例えば、図８に示すステップｃ１０，ｃ２０）と、
を含むことを特徴としている。
【０００８】
この第１の発明によれば、アクセス端局は、サーバシステムから当該アクセス端局に対して送信された案内情報をＩＣタグに記憶させることができる。そして、利用者端末は、アクセス端局のＩＣタグとの近距離無線通信を行うことにより、ＩＣタグに記憶された案内情報を受信して出力することができる。したがって、利用者端末を携帯する利用者は、所定位置に分散配置されたアクセス端局に利用者端末を近接させることにより、サーバシステムから当該アクセス端局に対して送信された案内情報を取得することができる。
【０００９】
第２の発明は、第１の発明の案内方法であって、
前記サーバシステムが、目的位置を設定する目的位置設定工程（例えば、図８に示すステップａ１０）と、
この目的位置設定工程で設定された目的位置に基づいて前記サーバシステムが案内経路を算出する経路算出工程（例えば、図８に示すステップａ２０）と、
を更に含み、
前記端局選択工程は、前記経路算出工程で算出された案内経路に基づいてアクセス端局を選択する工程である、
ことを特徴としている。
【００１０】
この第２の発明によれば、サーバシステムは、算出した目的位置までの案内経路に基づいてアクセス端局を選択し、当該選択したアクセス端局に対して案内情報を送信することができる。
【００１１】
第３の発明は、第２の発明の案内方法であって、
前記利用者端末が、前記端末受信工程において前記案内情報を受信した場合に、当該案内情報を送信したアクセス端局のＩＣタグに受信完了情報を書き込む受信完了工程（例えば、図８に示すステップｃ２６）と、
前記受信完了工程において受信完了情報が書き込まれたアクセス端局が当該受信完了情報を前記サーバシステムに送信する受信完了通知工程（例えば、図８に示すステップｃ４０）と、
を更に含み、
前記サーバシステムが前記受信完了情報を受信した場合に、前記端局選択工程、前記情報送信工程、前記情報設定工程及び前記端末受信工程の一連の工程を新たに行い、新たに行う端局選択工程では、前記算出された案内経路に沿って新たなアクセス端局を選択することを特徴としている。
【００１２】
この第３の発明によれば、利用者端末が、アクセス端局のＩＣタグから案内情報を受信した場合に当該アクセス端局のＩＣタグに受信完了情報を書き込み、アクセス端局が、利用者端末によりＩＣタグに書き込まれた受信完了情報をサーバシステムに送信することができる。そして、サーバシステムは、受信完了情報を受信した場合に、前記算出した目的位置までの案内経路に基づいて、新たに案内情報を送信するアクセス端局を選択することができる。これによれば、サーバシステムは、受信完了情報により、前回選択したアクセス端局に対して送信した案内情報が、アクセス端局を介して利用者端末に送信されたことを確認し、確認した場合に、次に案内情報を送信するアクセス端局を選択して、当該アクセス端局に案内情報を送信することができる。
【００１３】
第４の発明は、第３の発明の案内方法であって、
前記利用者端末が、第１の暗号鍵を記憶する工程を更に含み、
前記情報送信工程は、案内情報を前記第１の暗号鍵で暗号化し、暗号化した案内情報及び第２の暗号鍵を前記選択されたアクセス端局に送信する工程であり、
前記情報設定工程は、前記情報送信工程で送信された案内情報及び第２の暗号鍵を当該アクセス端局のＩＣタグに記憶させる工程であり、
前記端末受信工程は、前記利用者端末が前記案内情報及び前記第２の暗号鍵を受信し、この受信した案内情報を前記第１の暗号鍵で復号して出力するとともに、受信した第２の暗号鍵を前記第１の暗号鍵に代えて記憶する工程であり、
前記第２の暗号鍵を第１の暗号鍵とし、新たな暗号鍵を第２の暗号鍵として、前記一連の工程を新たに行う、
ことを特徴としている。
【００１４】
この第４の発明によれば、サーバシステムは、利用者端末に記憶されている第１の暗号鍵で暗号化した案内情報及び第２の暗号鍵を、前記選択したアクセス端局に送信することができる。そして、利用者端末は、アクセス端局のＩＣタグとの近距離無線通信により受信した案内情報を、前記第１の暗号鍵により復号して出力するとともに、受信した第２の暗号鍵を前記第１の暗号鍵に代えて記憶することができる。さらに、サーバシステムは、第２の暗号鍵を第１の暗号鍵とし、新たな暗号鍵を第２の暗号鍵として、続いて選択したアクセス端局に案内情報を送信することができる。したがって、利用者端末を携帯する利用者は、案内情報が送信されたアクセス端局の配置位置まで順次移動し、当該アクセス端局に利用者端末を近接させることにより、サーバシステムにおいて暗号化された案内情報を取得することができる。
【００１５】
第５の発明は、第４の発明の案内方法であって、
前記受信完了工程は、前記利用者端末が、前記端末受信工程において復号した案内情報に含まれる復号確認情報を前記受信完了情報として書き込む工程であり、
前記受信完了工程で送信された受信完了情報の正否を前記サーバシステムが判定し、正しいと判定された場合に前記一連の工程を新たに行うことを特徴としている。
【００１６】
この第５の発明によれば、利用者端末が、復号した案内情報に含まれる復号確認情報を、受信完了情報としてアクセス端局のＩＣタグに書き込むことができる。そして、サーバシステムは、受信完了情報を受信した場合に、その成否を判定することができる。これによれば、サーバシステムは、受信完了情報により、前回選択したアクセス端局に対して送信した案内情報が、当該案内情報の暗号鍵を記憶している利用者端末にアクセス端局を介して送信され、この利用者端末において復号されたことを確認し、確認した場合に、次に案内情報を送信するアクセス端局を選択して、当該アクセス端局に案内情報を送信することができる。
【００１７】
第６の発明は、
ＩＣタグ通信機が内蔵された利用者端末との間で近距離無線通信を行うＩＣタグと、所定の通信回線を介してサーバシステムとの間で通信を行って前記ＩＣタグに記憶された情報の送信及び更新を制御する制御装置とを備えた複数のアクセス端局が所定位置に分散配置された非接触ＩＣタグシステムであって、
前記サーバシステムが、前記複数のアクセス端局の中からアクセス端局を選択する端局選択手段（例えば、図２に示す制御装置５２）と、
前記サーバシステムが、前記選択されたアクセス端局に案内情報を送信する情報送信手段（例えば、図２に示す制御装置５２，通信装置５４）と、
前記選択されたアクセス端局が、前記送信された案内情報を当該アクセス端局のＩＣタグに記憶させる情報設定手段（例えば、図５に示す端局制御装置５２）と、
前記選択されたアクセス端局のＩＣタグが、前記利用者端末との間で近距離無線通信を行い、前記記憶された案内情報を前記利用者端末に送信する端末送信手段（例えば、図５に示すＩＣタグ７６）と、
を備えた非接触ＩＣタグシステムである。
【００１８】
この第６の発明によれば、非接触ＩＣタグシステムにおいて、アクセス端局は、サーバシステムから当該アクセス端局に対して送信された案内情報をＩＣタグに記憶させ、この案内情報を、利用者端末との間で近距離無線通信を行うことにより利用者端末に送信することができる。したがって、利用者端末を携帯する利用者は、所定位置に分散配置されたアクセス端局に利用者端末を近接させることにより、サーバシステムから当該アクセス端局に対して送信された案内情報を取得することができる。
【００１９】
第７の発明は、第６の発明の非接触ＩＣタグシステムであって、
前記サーバシステムが、目的位置を設定する目的位置設定手段と、
前記サーバシステムが、前記設定された目的位置に基づいて案内経路を算出する経路算出手段と、
を更に備え、
前記端局選択手段は、前記算出された案内経路に基づいてアクセス端局を選択する手段である、
ことを特徴としている。
【００２０】
この第７の発明によれば、非接触ＩＣタグシステムにおいて、サーバシステムは、算出した目的位置までの案内経路に基づいてアクセス端局を選択し、当該選択したアクセス端局に対して案内情報を送信することができる。
【００２１】
第８の発明は、第７の発明の非接触ＩＣタグシステムであって、
前記端局選択手段、前記情報送信手段、前記情報設定手段及び前記端末送信手段を順番に機能させる一連の処理を繰り返し行わせる制御を行い、繰り返しのたびに、前記端局選択手段が、前記算出された案内経路に沿って新たなアクセス端局を選択していくことによって、前記利用者端末を案内することを特徴としている。
【００２２】
この第８の発明によれば、非接触ＩＣタグシステムにおいて、サーバシステムは、前記算出した目的位置までの案内経路に基づいて、新たに案内情報を送信するアクセス端局を順次選択し、当該選択したアクセス端局に案内情報を送信することができる。
【００２３】
第９の発明は、第６〜第８の何れかの発明の非接触ＩＣタグシステムであって、
前記所定の通信回線の通信線路は漏洩同軸ケーブルであり、
前記制御装置は前記漏洩同軸ケーブルを介した無線通信で前記サーバシステムとの間の通信を行う装置である、
ことを特徴としている。
【００２４】
この第９の発明によれば、第６〜第８の何れかの発明におけるアクセス端局の制御装置が、漏洩同軸ケーブルを介した無線通信でサーバシステムとの間の通信を行うことが実現できる。
【発明の効果】
【００２５】
本発明によれば、アクセス端局は、サーバシステムから当該アクセス端局に対して送信された案内情報をＩＣタグに記憶させることができる。そして、利用者端末は、アクセス端局のＩＣタグとの近距離無線通信を行うことにより、ＩＣタグに記憶された案内情報を受信して出力することができる。したがって、利用者端末を携帯する利用者は、所定位置に分散配置されたアクセス端局に利用者端末を近接させることにより、サーバシステムから当該アクセス端局に対して送信された案内情報を取得することができる。
【００２６】
また、サーバシステムは、算出した目的位置までの案内経路に基づいてアクセス端局を選択し、当該選択したアクセス端局に対して案内情報を送信することができる。
【００２７】
また、利用者端末が、アクセス端局のＩＣタグから案内情報を受信した場合に当該アクセス端局のＩＣタグに受信完了情報を書き込み、アクセス端局が、利用者端末によりＩＣタグに書き込まれた受信完了情報をサーバシステムに送信することができる。そして、サーバシステムは、受信完了情報を受信した場合に、前記算出した目的位置までの案内経路に基づいて、新たに案内情報を送信するアクセス端局を選択することができる。これによれば、サーバシステムは、受信完了情報により、前回選択したアクセス端局に対して送信した案内情報が、アクセス端局を介して利用者端末に送信されたことを確認し、確認した場合に、次に案内情報を送信するアクセス端局を選択して、当該アクセス端局に案内情報を送信することができる。
【００２８】
また、サーバシステムは、利用者端末に記憶されている第１の暗号鍵で暗号化した案内情報及び第２の暗号鍵を、前記選択したアクセス端局に送信することができる。そして、利用者端末は、アクセス端局のＩＣタグとの近距離無線通信により受信した案内情報を、前記第１の暗号鍵により復号して出力するとともに、受信した第２の暗号鍵を前記第１の暗号鍵に代えて記憶することができる。さらに、サーバシステムは、第２の暗号鍵を第１の暗号鍵とし、新たな暗号鍵を第２の暗号鍵として、続いて選択したアクセス端局に案内情報を送信することができる。したがって、利用者端末を携帯する利用者は、案内情報が送信されたアクセス端局の配置位置まで順次移動し、当該アクセス端局に利用者端末を近接させることにより、サーバシステムにおいて暗号化された案内情報を取得することができる。
【００２９】
さらに、利用者端末が、復号した案内情報に含まれる復号確認情報を、受信完了情報としてアクセス端局のＩＣタグに書き込むことができる。そして、サーバシステムは、受信完了情報を受信した場合に、その成否を判定することができる。これによれば、サーバシステムは、受信完了情報により、前回選択したアクセス端局に対して送信した案内情報が、当該案内情報の暗号鍵を記憶している利用者端末にアクセス端局を介して送信され、この利用者端末において復号されたことを確認し、確認した場合に、次に案内情報を送信するアクセス端局を選択して、当該アクセス端局に案内情報を送信することができる。
【発明を実施するための最良の形態】
【００３０】
以下、図を参照して、本発明を適用した非接触ＩＣタグシステムについて詳細に説明する。尚、以下では、非接触ＩＣタグシステムを、駅構内や車両内といった鉄道施設で利用する場合を例にとって説明する。
【００３１】
図１は、本発明を適用した非接触ＩＣタグシステム１のシステム構成を示す概略図である。図１に示す非接触ＩＣタグシステム１は、通信線路である漏洩同軸ケーブル（以下、「ＬＣＸ」という。）１０と、これに接続されたＬＣＸ制御装置３０と、ＬＣＸ制御装置３０と通信回線Ｎを介して接続されたサーバシステム５０と、ＬＣＸ１０に沿って分散配置された複数のアクセス端局７０とを備えて構成されており、各アクセス端局７０は、例えば、鉄道利用客が携帯する利用者端末９０と交信する。
【００３２】
ＬＣＸ１０は、その外部導体に電波を輻射する孔（スリット）が設けられた同軸ケーブルであり、この孔から漏洩した電波を利用した無線通信が可能である。すなわち、ＬＣＸ１０は、データを伝送する同軸ケーブルとして機能するとともに、電波を送受信するアンテナとして機能する。本実施形態において、ＬＣＸ１０は、駅構内や車両内に敷設され、このＬＣＸ１０を介した、アクセス端局７０とサーバシステム５０との間でデータ通信が実現される。
【００３３】
ＬＣＸ制御装置３０は、サーバシステム５０から通信回線Ｎを介して受信したデータをＬＣＸ１０に出力し、ＬＣＸ１０から入力されたデータを、通信回線Ｎを介してサーバシステム５０に送信する制御を行う。
【００３４】
サーバシステム５０は、送信先のアクセス端局７０のＩＤコードを指定し、後述する更新データや案内情報を、通信回線Ｎを介してＬＣＸ制御装置３０に送信する。図２は、サーバシステム５０の主要機能ブロックの構成を示す図である。サーバシステム５０は、公知のサーバコンピュータシステムをもとに構成されており、ＣＰＵ等の制御装置５２、ハードディスク等の記憶装置５６、及び通信回線Ｎに接続するための通信装置５４を備えて構成されている。ここで、通信回線Ｎとは、データ授受が可能な通信路を意味する。すなわち、通信回線Ｎとは、直接接続のための専用線（専用ケーブル）やイーサネット（登録商標）等によるＬＡＮの他、電話通信網やケーブル網、インターネット等の通信網を含む意味であり、また、通信方法については有線／無線を問わない。
【００３５】
このサーバシステム５０が備える記憶装置５６には、ＬＣＸ１０に沿って配置される全てのアクセス端局７０のＩＤコードを管理するためのアクセス端局管理情報５８が記憶されている。
【００３６】
図３は、アクセス端局管理情報５８の一例を示す図である。アクセス端局管理情報５８において、アクセス端局７０のＩＤコードは、当該アクセス端局７０が配置される駅構内毎、又は車両毎に、アクセス端局情報として管理されている。
【００３７】
図４（ａ）は、図３に示す駅Ｓ１０構内アクセス端局情報５８ａの一例を示す図である。図４（ａ）に示すように、駅Ｓ１０構内アクセス端局情報５８ａには、駅Ｓ１０構内に配置されるアクセス端局７０のＩＤコードが、当該駅Ｓ１０構内における配置場所と対応付けて記憶されている。また、図４（ｂ）は、図３に示す車両ＲＳ１０内アクセス端局情報５８ｂの一例を示す図である。図４（ｂ）に示すように、車両ＲＳ１０内アクセス端局情報５８ｂには、車両ＲＳ１０内に配置されるアクセス端局７０のＩＤコードが、その配置場所の号車番号や座席番号等に従って分類されて記憶されている。
【００３８】
アクセス端局７０は、改札口やプラットホーム等の駅構内の所定位置や、乗降口や座席等の車両内の所定位置に予め分散配置されるものであり、上記したＬＣＸ１０は、各アクセス端局７０の配置位置に沿うように敷設される。図５に、アクセス端局７０の主要機能ブロックの構成を示す。図５に示すアクセス端局７０は、制御装置として、端局制御装置７２とＬＣＸ通信制御装置７４と有するとともに、ＩＣタグ７６を備えて構成されている。
【００３９】
端局制御装置７２は、ＣＰＵ等により構成され、アクセス端局７０を構成する各機能部への指示やデータの転送等を行ってアクセス端局７０を統括的に制御する。具体的には、ＬＣＸ通信制御装置７４から入力されるデータをＩＣタグ７６に出力してメモリ７８に記憶させるための処理や、ＩＣタグ７６の有するメモリ７８に記憶されたデータをＬＣＸ通信制御装置７４に出力する処理を実行する。
【００４０】
ＬＣＸ通信制御装置７４は、アンテナや制御回路等により構成され、ＬＣＸ１０を介してサーバシステム５０から送信されたデータを端局制御装置７２に出力する処理や、端局制御装置７２の指示に基づく所定のデータをＬＣＸ１０に送信する処理を行う。
【００４１】
ＩＣタグ７６は、メモリ７８や、図示しないアンテナ、電源回路、制御回路等で構成され、後述する利用者端末９０のＩＣタグ通信機９９（図６参照）との間で電磁誘導等による近距離無線通信を行い、メモリ７８に記憶されたデータの送受信を行う。メモリ７８には、アクセス端局７０のＩＤコードや、当該アクセス端局７０の配置場所等に係るデータ、或いはサーバシステム５０や利用者端末９０から送信されるデータ等が適宜記憶される。このメモリ７８に記憶されるデータの詳細については後述する。
【００４２】
利用者端末９０は、インターネットアクセス機能を内蔵したＰＤＡや携帯電話等の携帯端末である。図６に、利用者端末９０の主要機能ブロックの構成を示す。図６に示す利用者端末９０は、端末制御装置９１と、入力装置９３と、表示装置９５と、記憶装置９７と、ＩＣタグ通信機９９とを備えて構成されている。
【００４３】
端末制御装置９１は、ＣＰＵ等により構成され、利用者端末９０を構成する各機能部への指示やデータの転送等を行って利用者端末９０を統括的に制御する。具体的には、入力装置９３から入力される操作信号やＩＣタグ通信機９９から入力されるデータ等に応じた処理プログラムを記憶装置９７から読み出して実行し、処理結果を記憶装置９７に保存する。
【００４４】
入力装置９３は、各種機能が割り当てられた操作キー等により実現され、キー操作に応じた操作信号を端末制御装置９１に出力する。
【００４５】
表示装置９５は、例えば、ＬＣＤ（Liquid Crystal Display）やＥＬＤ（Electronic Luminescent Display）等の表示装置であり、端末制御装置９１から入力される表示信号に基づく各種画面を表示する。
【００４６】
記憶装置９７は、フラッシュＲＯＭ等の不揮発性の半導体メモリで構成され、利用者端末９０の動作に係る各種処理プログラムや当該処理プログラムによる処理結果等のデータが記憶される。端末制御装置９１は、この記憶装置９７から読み出した処理プログラムやデータに基づいて種々の処理を実行する。
【００４７】
ＩＣタグ通信機９９は、アンテナや制御回路等により構成され、アクセス端局７０のＩＣタグ７６との間で無線通信を行い、ＩＣタグ７６から送信されるデータを端末制御装置９１に出力するとともに、端末制御装置９１の指示に基づく所定のデータをアクセス端局７０に送信する。
【００４８】
次に、上記した構成の非接触ＩＣタグシステム１におけるアクセス端局７０の役割について、図７を参照して説明する。図７において、ＬＣＸ１０に沿って配置される３つのアクセス端局７０ａ，７０ｂ，７０ｃを示している。
【００４９】
（１）レベル１
図７に示すように、レベル１のアクセス端局７０ａは、ＩＣタグ７６の有するメモリ７８に固定的に記憶された情報を、近距離無線通信（データキャリア）により利用者端末９０に随時送信する。例えば、メモリ７８には、当該アクセス端局７０ａを識別するために固有に割り当てられたＩＤコードと、アクセス端局７０ａの配置位置に基づく固定データとが記憶されている。具体的には、例えば、駅の改札口に配置されるアクセス端局７０ａには改札口名が、プラットホームに配置されるアクセス端局７０ａには駅名やその番線番号が、車両内に配置されるアクセス端局７０ａにはその号車番号が、車両内の各座席に配置されるアクセス端局７０ａにはその座席番号が、固定データとして記憶されている。
【００５０】
<具体例>
ここで、レベル１のアクセス端局７０ａを用いた非接触ＩＣタグシステム１の具体例について説明する。本具体例において、利用者端末９０の記憶装置９７には、乗車駅から目的駅まで移動するための乗換経路をアクセス端局７０ａのＩＤコードにより示した乗換経路データが記憶されている。具体的には、乗換経路データとして、利用者が乗車駅から目的駅まで移動する際の移動経路に配置されるアクセス端局７０ａのＩＤコードが順番に記憶されている。
【００５１】
利用者端末９０は、上記した乗換経路データを以下のようにして取得する。すなわち、利用者端末９０は、これを携帯する利用者の操作により、例えば、インターネットと接続し、乗換経路探索サーバにアクセスして乗車駅及び目的駅を送信する。この乗換経路探索サーバは、例えば、サーバシステム５０と通信接続可能に構成されており、送信された乗車駅及び目的駅に基づいて乗換経路を探索し、決定した乗換経路をサーバシステム５０に送信する。これに応じて、サーバシステム５０の制御装置５２は、乗換経路に基づく利用者の移動経路をアクセス端局７０ａのＩＤコードにより示した乗換経路データを、アクセス端局管理情報５８を参照して作成し、乗換経路探索サーバに返信する。乗換経路探索サーバは、サーバシステム５０から返信された乗換経路データを利用者端末９０に送信する。
【００５２】
利用者は、乗車駅から目的駅まで移動する際、移動経路上に配置されたアクセス端局７０ａに利用者端末９０を近接させることにより、アクセス端局７０ａとの近距離無線通信を実行させる。この際、利用者端末９０の端末制御装置９１は、乗換経路データを参照し、アクセス端局７０ａから送信されたＩＤコードをもとに、利用者の移動経路が乗換経路に従っているか否かを判別する。具体的には、端末制御装置９１は、アクセス端局７０ａから送信されたＩＤコードが、乗換経路データとして記憶されているＩＤコードの順番に従っているか否かを判別し、従っていないと判別した場合には、移動経路が誤っていることを利用者に報知するメッセージを表示装置９５に表示させる。
【００５３】
以上説明したように、レベル１のアクセス端局７０ａを用いた非接触ＩＣタグシステム１によれば、各アクセス端局７０ａの配置位置に基づく固定データを、利用者端末９０の表示装置９５に表示させることができる。また、アクセス端局７０ａに固有に割り当てられたＩＤコードの順番に従った利用者の移動を案内することも可能である。
【００５４】
（２）レベル２
図７に示すように、レベル２のアクセス端局７０ｂは、ＬＣＸ１０を介して受信されるデータに従って、ＩＣタグ７６の有するメモリ７８に記憶される更新データを更新するとともに、更新データを近距離無線通信により利用者端末９０に随時送信する。
【００５５】
ここで、レベル２のアクセス端局７０ｂを用いた非接触ＩＣタグシステム１の具体例について説明する。
【００５６】
<具体例１>
サーバシステム５０は、列車の運行に割り当てられた車両内に配置された全てのアクセス端局７０ｂのＩＤコードを指定して、当該列車の運行開始前に、例えば、列車の行き先（終着駅）や経由駅、路線名、普通列車や快速列車といった列車種別、或いは自由席や指定席、グリーン車両といった号車情報等の列車情報を送信する。アクセス端局７０ｂは、ＬＣＸ１０を介して列車情報を受信し、ＩＣタグ７６の有するメモリ７８内に更新データとして記憶させる。
【００５７】
利用者が、列車に乗車した際に、乗降口や座席に配置されたアクセス端局７０ｂに利用者端末９０を近接させてアクセス端局７０ｂとの近距離無線通信を実行させると、当該アクセス端局７０ｂのＩＣタグ７６は、メモリ７８から列車情報を読み出して利用者端末９０に送信する。これに応じて、利用者端末９０の端末制御装置９１は、ＩＣタグ通信機９９を介して受信した列車情報を表示装置９５に表示させる。
【００５８】
<具体例２>
サーバシステム５０は、プラットホームに配置されたアクセス端局７０ｂのＩＤコードを指定して、当該プラットホームに次に到着する列車の行き先や、列車種別、或いは当該列車の当該駅における着発予定時刻等の着発列車情報を送信する。アクセス端局７０ｂは、ＬＣＸ１０を介して受信した着発列車情報を、ＩＣタグ７６の有するメモリ７８内に更新データとして記憶させる。
【００５９】
利用者が、プラットホームに配置されたアクセス端局７０ｂに利用者端末９０を近接させてアクセス端局７０ｂとの近距離無線通信を実行させると、当該アクセス端局７０ｂのＩＣタグ７６は、メモリ７８から着発列車情報を読み出して利用者端末９０に送信する。これに応じて、利用者端末９０の端末制御装置９１は、ＩＣタグ通信機９９を介して受信した着発列車情報を表示装置９５に表示させる。
【００６０】
<具体例３>
サーバシステム５０は、列車遅延が生じた際に、駅構内及び運用中の車両内に配置されたアクセス端局７０ｂのＩＤコードを指定して、当該列車遅延に係る遅延情報を送信する。アクセス端局７０ｂは、ＬＣＸ１０を介して受信された遅延情報を、当該ＩＣタグ７６の有するメモリ７８内に更新データとして記憶させる。
【００６１】
利用者が、駅やプラットホームに到着した際、或いは列車に乗車した際に、駅構内や車両内に配置されたアクセス端局７０ｂに利用者端末９０を近接させてアクセス端局７０ｂとの近距離無線通信を実行させると、当該アクセス端局７０ｂのＩＣタグ７６は、メモリ７８から遅延情報を読み出して利用者端末９０に送信する。これに応じて、利用者端末９０の端末制御装置９１は、ＩＣタグ通信機９９を介して受信した遅延情報を表示装置９５に表示させる。
【００６２】
<具体例４>
サーバシステム５０は、列車を運行する前に、車両内の座席に配置されたアクセス端局７０ｂのうち、団体客により利用される座席に配置されたアクセス端局７０ｂのＩＤコードを指定して、例えば、当該団体に対して割り当てられたグループ番号情報を送信する。アクセス端局７０ｂは、ＬＣＸ１０を介して受信されたグループ番号情報を、当該ＩＣタグ７６の有するメモリ７８内に更新データとして記憶させる。
【００６３】
利用者が、列車に乗車した際に、座席に配置されたアクセス端局７０ｂに利用者端末９０を近接させてアクセス端局７０ｂとの近距離無線通信を実行させると、当該アクセス端局７０ｂのＩＣタグ７６は、メモリ７８からグループ番号情報を読み出して利用者端末９０に送信する。これに応じて、利用者端末９０の端末制御装置９１は、ＩＣタグ通信機９９を介して受信したグループ番号情報を表示装置９５に表示させる。
【００６４】
以上説明したように、レベル２のアクセス端局７０ｂを用いた非接触ＩＣタグシステム１によれば、上記した列車情報、着発列車情報、遅延情報、或いはグループ番号情報といった、アクセス端局７０ｂのＩＣタグ７６の有するメモリ７８において随時更新される更新データを、利用者端末９０の表示装置９５に表示させることができる。
【００６５】
（３）レベル３
図７に示すように、レベル３のアクセス端局７０ｃは、ＬＣＸ１０を介して受信されるデータをＩＣタグ７６の有するメモリ７８に記憶させるとともに、当該データを近距離無線通信により利用者端末９０に随時送信する。また、アクセス端局７０ｃは、利用者端末９０から送信されるデータをメモリ７８に記憶させるとともに、当該データを、ＬＣＸ１０を介してサーバシステム５０に送信する。
【００６６】
<動作>
先ず、レベル３のアクセス端局７０ｃを用いた非接触ＩＣタグシステム１の動作について、図８及び図９を参照して説明する。図８は非接触ＩＣタグシステム１の動作フローを示す図、図９は非接触ＩＣタグシステム１の動作を説明するための説明図である。
【００６７】
図８に示すように、先ず、サーバシステム５０は、利用者の出発位置と目的位置とを設定し（ステップａ１０）、当該設定した出発位置及び目的位置をもとに、アクセス端局管理情報５８を参照して案内経路データを作成する（ステップａ２０）。この案内経路データは、例えば、利用者が出発位置から目的位置まで移動するための案内経路をアクセス端局７０ｃのＩＤコードにより示したデータであり、より具体的には、利用者が出発位置から目的位置まで移動する際の移動経路に配置されるアクセス端局７０ｃのＩＤコードが順番に蓄積されたデータである。
【００６８】
続いて、サーバシステム５０は、作成した案内経路データに従って、アクセス端局７０ｃのＩＤコードを選択する（ステップａ３０）。そして、サーバシステム５０は、選択されたＩＤコードのアクセス端局７０ｃ（以下、適宜「対象アクセス端局７０ｃ」という。）用に、案内メッセージ、復号確認情報、及び次回暗号鍵の各データを含む案内情報を作成し、所定の暗号化処理により、初回用鍵を暗号鍵として暗号化する（ステップａ４０）。尚、適用される暗号化方式は、暗号化及び復号に同一の暗号鍵を用いる公知の暗号方式であり、説明は省略する。
【００６９】
続いて、サーバシステム５０は、ステップａ３０において決定した対象アクセス端局７０ｃのＩＤコードを指定して、ステップａ４０において作成・暗号化した案内情報を送信する（ステップａ５０）。アクセス端局７０ｃは、ＬＣＸ１０を介して受信された案内情報を、ＩＣタグ７６の有するメモリ７８に記憶させる（ステップｂ１０）。
【００７０】
例えば、図９（ａ）では、サーバシステム５０から、対象アクセス端局であるＡ地点のアクセス端局７０ｃ−１用に作成され、所定の暗号化処理により暗号化された案内情報が、ＬＣＸ１０を介してアクセス端局７０ｃ−１に送信される。これに応じて、Ａ地点のアクセス端局７０ｃ−１において、受信された案内情報Ｄ１０がＩＣタグ７６の有するメモリ７８に書き込まれる。例えば、図９（ａ）に示すアクセス端局７０ｃ−１のＩＣタグ７６の有するメモリ７８には、案内メッセージＤ１２と、復号確認情報Ｄ１４と、次回暗号鍵Ｄ１６とが、初回用鍵である“第１キー”を暗号鍵として暗号化された案内情報Ｄ１０が書き込まれる。
【００７１】
図８に戻り、続いて、アクセス端局７０ｃは、利用者端末９０との近距離無線通信により、案内情報を利用者端末９０に送信する（ステップｂ２０）。利用者端末９０の記憶装置９７には、例えば、所定条件を満足した際にサーバシステム５０から送信された前記初回用鍵が現暗号鍵として記憶されており、利用者端末９０は、受信した案内情報を、前述の現暗号鍵を暗号鍵として復号し（ステップｃ１０）、復号した案内情報を出力する（ステップｃ２０）。具体的には、利用者端末９０において、案内情報に含まれる案内メッセージを表示装置９５に表示する処理が行われ（ステップｃ２２）、次回暗号鍵により現暗号鍵を更新する処理が行われ（ステップｃ２４）、復号確認情報を対象アクセス端局７０ｃに送信する処理が行われる（ステップｃ２６）。
【００７２】
例えば、図９（ａ）に示すように、アクセス端局７０ｃ−１と利用者端末９０との近距離無線通信が実行されると、図９（ｂ）に示すように、（イ）案内情報Ｄ１０が利用者端末９０に送信される。そして、利用者端末９０において、現暗号鍵Ｄ２０として“第１キー”が保持されている場合には、受信された案内情報Ｄ１０が現暗号鍵“第１キー”により復号される。この結果、利用者端末９０において、（ロ）表示装置９５に案内メッセージＤ１２である“Ｂ地点に移動せよ”が表示されるとともに、記憶装置９７に記憶されている現暗号鍵“第１キー”が次回暗号鍵Ｄ１６である“第２キー”に更新される。さらに、続いて、（ハ）復号確認情報Ｄ１４である“Ｂ３Ｔ”（“Ｂ３Ｔ”は一例であって、復号の確認が取れるものであれば他のコードであってもよい。）が利用者端末９０からアクセス端局７０ｃ−１に送信される。
【００７３】
図８に戻り、アクセス端局７０ｃは、利用者端末９０から送信された復号確認情報をもとに受信完了情報を作成し（ステップｂ３０）、当該作成した受信完了情報を、ＬＣＸ１０を介してサーバシステム５０に送信する（ステップｂ４０）。
【００７４】
一方、サーバシステム５０は、ステップａ５０において案内情報を対象アクセス端局７０ｃに送信した後、当該対象アクセス端局７０ｃから受信完了情報が送信されるまで待機する。そして、サーバシステム５０は、対象アクセス端局７０ｃのＩＤコードを含む受信完了情報を受信した場合に（ステップａ６０：ＹＥＳ）、ステップａ３０に移行し、案内経路データに従ってアクセス端局７０ｃのＩＤコードを選択して対象アクセス端局を決定し、上記した処理を繰り返す。
【００７５】
例えば、図９（ｃ）に示すように、アクセス端局７０ｃ−１において、当該アクセス端局７０ｃ−１のＩＤコードＤ３２と、利用者端末９０から送信された復号確認情報Ｄ３４とを含む受信完了情報Ｄ３０が作成されて、ＩＣタグ７６のメモリ７８に書き込まれる。そして、（二）受信完了情報Ｄ３０が、アクセス端局７０ｃ−１からＬＣＸ１０を介してサーバシステム５０に送信される。これを受信したサーバシステム５０では、案内経路データをもとに、対象アクセス端局が、例えばＢ地点のアクセス端局７０ｃ−２に決定される。そして、サーバシステム５０において、当該アクセス端局７０ｃ−２用に案内情報が作成され、Ａ地点のアクセス端局７０ｃ−１用に作成された案内情報Ｄ１０の次回暗号鍵Ｄ１６である“第２キー”を暗号鍵として暗号化される。そして、（ホ）当該暗号化された案内情報が、サーバシステム５０からＬＣＸ１０を介してＢ地点のアクセス端局７０ｃ−２に送信される。
【００７６】
<具体例>
次に、このレベル３のアクセス端局７０ｃを用いた非接触ＩＣタグシステム１の具体例について、図１０を参照して説明する。本具体例は、非接触ＩＣタグシステム１により、座席予約サーバで列車の座席を予約した利用者（予約利用者）を、当該座席まで案内するものである。尚、以下説明する具体例におけるアクセス端局７０ｃは、上記したレベル１及び２の機能を併せて有する。
【００７７】
図１０において、ＬＣＸには、予約利用者が予約した列車を運行する車両ＲＳ１００内に敷設されたＬＣＸ１０ａ、及び予約利用者の乗車駅Ｓ１００の駅構内に敷設されたＬＣＸ１０ｂがある。また、サーバシステム５０は、インターネットと接続される座席予約サーバ１００との通信接続が可能に構成されている。
【００７８】
利用者端末９０ａは、これを携帯する予約利用者の操作により、例えば、インターネットに接続して座席予約サーバ１００にアクセスし、乗車する列車（予約列車）及び駅間を指定して座席の予約を申し込む。この座席予約サーバは、列車番号、号車番号、座席番号、駅間情報を含む予約列車情報、及び初回用鍵を生成して利用者端末９０ａに送信するとともに、作成した列車情報及び初回用鍵をサーバシステム５０に転送する。
【００７９】
サーバシステム５０は、座席予約サーバ１００から送信された予約列車情報をもとに、先ず、アクセス端局管理情報５８を参照して案内経路データを作成する。例えば、サーバシステム５０は、予約列車情報に含まれる駅間情報に従って乗車駅Ｓ１００の改札口に設置されたアクセス端局７０ｃ−１０のＩＤコード、号車番号に従って予約列車を運行する車両ＲＳ１００の乗降口に配置されたアクセス端局７０ｃ−１１のＩＤコード、及び座席番号に従って座席に配置されたアクセス端局７０ｃ−１２のＩＤコードを選択し、この順番にＩＤコードを設定した案内経路データを作成する。次に、サーバシステム５０は、作成した案内経路データに従ってアクセス端局７０ｃ−１０のＩＤコードを選択し、案内情報を作成して初回用鍵を暗号鍵として暗号化する。そして、サーバシステム５０は、作成した案内情報を、アクセス端局７０ｃ−１０のＩＤコードを指定して送信する。
【００８０】
例えば、図１０では、サーバシステム５０からアクセス端局７０ｃ−１０に対して、予約列車の発車番線や号車番号を報知するための案内メッセージＤ１０２と、復号確認情報Ｄ１０４と、次回暗号鍵Ｄ１０６とが、初回用鍵である“第１キー”を暗号鍵として暗号化された案内情報Ｄ１００が送信される。
【００８１】
予約利用者が、改札口において、アクセス端局７０ｃ−１０に利用者端末９０ａを近接させてアクセス端局７０ｃ−１０との近距離無線通信を実行させると、当該アクセス端局７０ｃ−１０は、ＬＣＸ１０ｂを介して受信された案内情報Ｄ１００を利用者端末９０ａに送信する。これに応じて、利用者端末９０ａは、列車の座席を予約した際に座席予約サーバ１００から送信された初回用鍵である“第１キー”を暗号鍵として、案内情報復号処理を実行する。すなわち、利用者端末９０ａは、案内メッセージを表示装置９５に表示させるとともに、次回用鍵を現暗号鍵として記憶し、復号確認情報をアクセス端局７０ｃ−１０に送信する。アクセス端局７０ｃ−１０は、復号確認情報を受信した場合には、当該アクセス端局７０ｃ−１０のＩＤコード及び復号確認情報を含む受信完了情報をサーバシステム５０に送信する。
【００８２】
サーバシステム５０は、アクセス端局７０ｃ−１０から受信完了情報を受信すると、続いて、案内経路データに従ってアクセス端局７０ｃ−１１のＩＤコードを選択し、案内情報を作成して、アクセス端局７０ｃ−１１用に生成した次回用鍵を暗号鍵として暗号化する。そして、サーバシステム５０は、作成した案内情報を、アクセス端局７０ｃ−１１のＩＤコードを指定して送信する。
【００８３】
例えば、図１０では、サーバシステム５０からアクセス端局７０ｃ−１１に対して、予約列車の座席番号を報知するための案内メッセージＤ１１２と、復号確認情報Ｄ１１４と、次回暗号鍵Ｄ１１６とを含む案内情報とが、“第２キー”を暗号鍵として暗号化された案内情報Ｄ１１０が送信される。
【００８４】
予約利用者が、車両ＲＳ１００の乗降口まで移動し、アクセス端局７０ｃ−１１に利用者端末９０ａを近接させてアクセス端局７０ｃ−１１との近距離無線通信を実行させると、当該アクセス端局７０ｃ−１１は、ＬＣＸ１０ｂを介して受信された案内情報とともに、当該車両ＲＳ１００の号車番号及び列車番号を利用者端末９０ａに送信する。
【００８５】
これに応じて、利用者端末９０ａは、先ず、列車の座席を予約した際に座席予約サーバ１００から送信された予約列車情報をもとに、アクセス端局７０ｃ−１１から受信された当該車両ＲＳ１００の号車番号及び列車番号の正否を判断する。そして、アクセス端局７０ｃ−１１から送信された号車番号及び列車番号が、予約列車情報として記憶されている号車番号及び列車番号と一致しない場合には、その旨を予約利用者に報知するメッセージを表示装置９５に表示させる。
【００８６】
そして、一致した場合には、利用者端末９０ａは、現暗号鍵として記憶されている“第２キー”を暗号鍵として、上述した案内情報復号処理を実行する。これに応じて、アクセス端局７０ｃ−１１は、当該アクセス端局７０ｃ−１１のＩＤコード及び復号確認情報を含む受信完了情報をサーバシステム５０に送信する。
【００８７】
サーバシステム５０は、アクセス端局７０ｃ−１１から受信完了情報を受信すると、続いて、案内経路データに従ってアクセス端局７０ｃ−１２のＩＤコードを選択し、案内情報を作成して、アクセス端局７０ｃ−１１に送信した案内情報として作成した次回用鍵を暗号鍵として暗号化する。そして、サーバシステム５０は、作成した案内情報を、アクセス端局７０ｃ−１２のＩＤコードを指定して送信する。
【００８８】
例えば、図１０では、サーバシステム５０からアクセス端局７０ｃ−１２に対して、案内終了を報知するための案内メッセージＤ１２２と、復号確認情報Ｄ１２４とを含む案内情報とが、“第３キー”を暗号鍵として暗号化された案内情報Ｄ１２０が送信される。サーバシステム５０は、案内経路データとして最後に設定されているＩＤコードを選択した場合には、次回用鍵は生成しない。
【００８９】
予約利用者が、座席まで移動し、アクセス端局７０ｃ−１２に利用者端末９０ａを近接させてアクセス端局７０ｃ−１２との近距離無線通信を実行させると、当該アクセス端局７０ｃ−１２は、ＬＣＸ１０ｂを介して受信された案内情報とともに、当該車両ＲＳ１００の座席番号を利用者端末９０ａに送信する。
【００９０】
これに応じて、利用者端末９０ａは、先ず、座席予約サーバ１００から送信された予約列車情報をもとに、アクセス端局７０ｃ−１２から受信された座席番号の正否を判断する。そして、アクセス端局７０ｃ−１２から送信された座席番号が、予約列車情報として記憶されている座席番号と一致しない場合には、その旨を予約利用者に報知するメッセージを表示装置９５に表示させる。
【００９１】
そして、一致した場合には、利用者端末９０ａは、現暗号鍵として記憶されている“第３キー”を暗号鍵として、上述した案内情報復号処理を実行する。これに応じて、アクセス端局７０ｃ−１２は、当該アクセス端局７０ｃ−１２のＩＤコード及び復号確認情報を含む受信完了情報をサーバシステム５０に送信する。
【００９２】
サーバシステム５０は、アクセス端局７０ｃ−１２から受信完了情報を受信すると、例えば、アクセス端局７０ｃ−１２が配置された座席への予約利用者が着席したと判断し、処理を終了する。また、この際、サーバシステム５０が、車両内に設置されている表示装置等と通信を行い、予約利用者の着席状況を表示させることとしてもよく、この場合には、当該座席の車掌による検札の必要がなくなる。
【００９３】
以上説明したように、レベル３のアクセス端局７０ｃを用いた非接触ＩＣタグシステム１によれば、サーバシステム５０は、案内メッセージ、復号確認情報、及び次回暗号鍵の各データを含む案内情報を作成した上で初回用鍵を暗号鍵として暗号化し、案内経路データに従って選択したアクセス端局７０ｃに送信することができる。これに応じて、初回用鍵を記憶している利用者端末９０は、アクセス端局７０ｃのＩＣタグ７６との近距離無線通信により受信した案内情報を復号し、案内メッセージを表示装置９５に表示させることができる。したがって、暗号鍵が記憶されている利用者端末９０を携帯する利用者に対して、案内情報を確実に提供することができる。
【００９４】
また、アクセス端局７０ｃは、利用者端末により送信された受信完了情報をサーバシステムに送信することができる。そして、サーバシステム５０は、受信完了情報により、前回選択したアクセス端局７０ｃに対して送信した案内情報が、アクセス端局７０ｃを介して利用者端末９０に送信されたことを確認した後に、次に案内情報を送信するアクセス端局７０ｃを経路案内データに従って新たに選択し、当該アクセス端局７０ｃに案内情報を送信することができる。したがって、利用者端末９０を携帯する利用者は、案内情報が送信されたアクセス端局７０ｃの配置位置まで順次移動し、当該アクセス端局７０ｃに利用者端末９０を近接させることにより、サーバシステムにおいて暗号化された案内情報を取得することができる。
【００９５】
以上説明したように、本実施形態によれば、所定位置に分散配置されるアクセス端局７０と利用者端末９０との近距離無線通信により、アクセス端局７０のＩＣタグ７６が有するメモリに記憶されている情報を、利用者端末９０に送信することができる。
【００９６】
また、所定位置に配置されるアクセス端局７０は、ＬＣＸ１０とのデータの送受信を無線通信により行うので、故障時等、当該アクセス端局を容易に交換することができる。また、ＬＣＸ１０と通信可能な範囲内において、アクセス端局７０の配置位置の変更作業や、追加作業等も容易に行うことができる。
【００９７】
以上、本発明についての好適な実施形態について説明したが、本発明は、上記したものに限らず、発明の趣旨を逸脱しない限りにおいて適宜変更可能である。
【００９８】
例えば、上記した実施形態では、サーバシステム５０からアクセス端局７０に対してデータを送信するための通信線路として、ＬＣＸ（漏洩同軸ケーブル）を用いた場合について説明したが、通信線路として、直接接続のための専用線（専用ケーブル）やイーサネット（登録商標）等によるＬＡＮ等を適用することとしてもよい。
【００９９】
また、上記した実施形態では、本発明の非接触ＩＣタグシステム１を、駅構内や車両内といった鉄道施設で利用する場合について説明したが、これに限定されるものではなく、例えば、映画館や劇場等での利用者の移動案内等に利用することが可能である。
【０１００】
また、上記したレベル３のアクセス端局７０ｃをバス停や駅改札口、マンション玄関等に分散配置しておくことにより、これを用いた非接触ＩＣタグシステム１を、マンション等のキー解錠システムといった、セキュリティシステムに適用することも可能である。
【０１０１】
<具体例>
利用者端末９０は、これを携帯する利用者の操作により、例えば、インターネットと接続し、キー解錠管理サーバにアクセスする。このキー解錠管理サーバは、例えば、サーバシステム５０と通信接続可能に構成されており、当該利用者のマンションまでの帰宅経路を決定してサーバシステム５０に送信する。サーバシステム５０は、帰宅経路に基づいて、出発位置のアクセス端局７０ｃから目的位置のマンション玄関に配置されたアクセス端局７０ｃまで移動するための利用者の移動経路をアクセス端局７０ｃのＩＤコードにより示した帰宅経路データを、アクセス端局管理情報５８を参照して作成する。続いて、サーバシステム５０は、初回用鍵と、出発位置のアクセス端局７０ｃの配置位置への移動を指示する案内メッセージとともに、作成した帰宅経路データをキー解錠管理サーバに返信する。キー解錠管理サーバは、サーバシステム５０から返信された帰宅経路データと、初回用鍵と、案内メッセージとを利用者端末９０に送信する。これに応じて、利用者端末９０の表示装置９５に案内メッセージが表示され、出発位置のアクセス端局７０ｃへの移動を促す。
【０１０２】
利用者は、案内メッセージに従って、出発位置のアクセス端局７０ｃから順に、携帯する利用者端末９０とアクセス端局７０ｃとの近距離無線通信を順次実行させて移動する。また、この際、利用者端末９０は、アクセス端局７０ａから送信されたＩＤコードが、帰宅経路データとして記憶されているＩＤコードの順番に従っているか否かを判別し、従っていないと判別した場合には、帰宅経路が誤っていることを利用者に報知するメッセージを表示装置９５に表示させる。
【０１０３】
そして、利用者が、帰宅経路データに従って利用者端末９０とアクセス端局７０ｃとの近距離無線通信を実行させながらマンション玄関まで移動し、最後にマンション玄関に配置されたアクセス端局７０ｃと利用者端末９０との近距離無線通信を実行させると、当該アクセス端局７０ｃから送信された案内情報を復号する。サーバシステム５０からマンション玄関に配置されたアクセス端局７０ｃに送信された案内情報には、マンション玄関の鍵を解錠するための解錠情報を表示するための案内メッセージが含まれており、利用者は、この解錠情報により、マンションの鍵を解錠することができる。
【図面の簡単な説明】
【０１０４】
【図１】非接触ＩＣタグシステムのシステム構成を示す概略図。
【図２】サーバシステムの主要機能ブロックの構成を示す図。
【図３】アクセス端局管理情報の一例を示す図。
【図４】（ａ）は図３に示す駅Ｓ１０構内アクセス端局情報の一例を示す図、（ｂ）は図３に示す車両ＲＳ１０アクセス端局情報の一例を示す図。
【図５】アクセス端局の主要機能ブロックの構成を示す図。
【図６】利用者端末の主要機能ブロックの構成を示す図。
【図７】非接触ＩＣタグシステムにおけるアクセス端局の役割を説明するための説明図。
【図８】非接触ＩＣタグシステムの動作フローを示す図。
【図９】非接触ＩＣタグシステムの動作を説明するための説明図。
【図１０】非接触ＩＣタグシステムの具体例を説明するための説明図。
【符号の説明】
【０１０５】
１            非接触ＩＣタグシステム
１０        ＬＣＸ
３０        ＬＣＸ制御装置
５０        サーバシステム
５２      制御装置
５４      通信装置
５６      記憶装置
５８    アクセス端局管理情報
７０        アクセス端局
７２      端局制御装置
７４      ＬＣＸ通信制御装置
７６      ＩＣタグ
７８    メモリ
９０        利用者端末
９１      端末制御装置
９３      入力装置
９５      表示装置
９７      記憶装置
９９      ＩＣタグ通信機
Ｎ            通信回線
【図１】
2005167863.tif 000003
【図２】
2005167863.tif 000004
【図３】
2005167863.tif 000005
【図４】
2005167863.tif 000006
【図５】
2005167863.tif 000007
【図６】
2005167863.tif 000008
【図７】
2005167863.tif 000009
【図８】
2005167863.tif 000010
【図９】
2005167863.tif 000011
【図１０】
2005167863.tif 000012